(57)【要約】【課題】一対のバネ端子で形成される高圧接点の圧力を容易且つ正確に設定する。【解決手段】本発明に係る画像形成装置は、高圧基板とユニットを接続する接続機構３９を備え、接続機構３９は、第１バネ端子４８を有する第１接続部材４０と、第１接続部材４０を保持する第１保持部材４１と、第１保持部材４１が連結される連結部材４２と、第１バネ端子４８と接触可能な第２バネ端子６８を有する第２接続部材４３と、を備え、第１バネ端子４８は、第１大径部５０と第１小径部５１を備え、第１保持部材４１には、第１保持部材４１が連結部材４２に連結された状態で第１小径部５１の第１大径部５０側の端部５１ａと当接する第１小径部用当接部５７が設けられ、連結部材４２には、第１保持部材４１が連結部材４２に連結された状態で第１大径部５０の第１小径部５１側の端部５０ａと当接する第１大径部用当接部６４が設けられていることを特徴とする。【選択図】図６
2016075819.tif 000002
【特許請求の範囲】
【請求項１】
記録媒体に対する画像形成処理に用いられるユニットと、
前記ユニットに高圧電流を供給する高圧基板と、
前記高圧基板と前記ユニットを電気的に接続する接続機構と、を備え、
前記接続機構は、
第１バネ端子を有する第１接続部材と、
前記第１接続部材を保持する第１保持部材と、
前記第１保持部材が連結される連結部材と、
前記第１バネ端子と接触可能な第２バネ端子を有する第２接続部材と、を備え、
前記第１バネ端子は、
圧縮可能なコイルバネで構成される第１大径部と、
密着巻きのコイルバネで構成され、前記第１大径部よりも外径が小さく、前記第２バネ端子と接触可能な第１小径部と、を備え、
前記第１保持部材には、前記第１保持部材が前記連結部材に連結された状態で前記第１小径部の前記第１大径部側の端部と当接する第１小径部用当接部が設けられ、
前記連結部材には、前記第１保持部材が前記連結部材に連結された状態で前記第１大径部の前記第１小径部側の端部と当接する第１大径部用当接部が設けられていることを特徴とする画像形成装置。
【請求項２】
前記第１保持部材は、
前記第１バネ端子の軸心方向と交差する方向に沿って延びる保持板部と、
前記保持板部から前記第１バネ端子の軸心方向に沿って延びるボス部と、を備え、
前記第１大径部は、前記ボス部の外周に装着され、
前記第１小径部用当接部は、前記ボス部の先端面に設けられていることを特徴とする請求項１に記載の画像形成装置。
【請求項３】
前記第１保持部材が前記連結部材に連結される前の状態で、前記第１バネ端子の軸心方向における前記ボス部の長さが前記第１バネ端子の軸心方向における前記第１大径部の長さよりも短いことを特徴とする請求項２に記載の画像形成装置。
【請求項４】
前記連結部材は、
前記第１大径部の少なくとも一部を挿入可能な第１大径部用挿入部と、
前記第１小径部の少なくとも一部を挿入可能に設けられ、前記第１大径部用挿入部よりも内径が小さい第１小径部用挿入部と、を備え、
前記第１大径部用当接部は、前記第１大径部用挿入部と前記第１小径部用挿入部の間に設けられていることを特徴とする請求項１〜３のいずれか１項に記載の画像形成装置。
【請求項５】
前記第２接続部材を保持し、前記連結部材に連結される第２保持部材を更に備え、
前記第２保持部材が前記連結部材に連結された状態で、前記第１小径部の一部が前記第２保持部材に挿入され、前記第２バネ端子と接触することを特徴とする請求項１〜４のいずれか１項に記載の画像形成装置。
【請求項６】
前記第２バネ端子は、
圧縮可能なコイルバネで構成される第２大径部と、
密着巻きのコイルバネで構成され、前記第２大径部よりも外径が小さく、前記第１小径部と接触可能な第２小径部と、を備えていることを特徴とする請求項１〜５のいずれか１項に記載の画像形成装置。
【請求項７】
トナー像が一次転写される像担持体を更に備え、
前記ユニットは、前記像担持体上のトナー像を記録媒体に二次転写する二次転写ユニットであることを特徴とする請求項１〜６のいずれか１項に記載の画像形成装置。
【発明の詳細な説明】
【技術分野】
【０００１】
本発明は、電子写真方式の画像形成装置に関する。
【背景技術】
【０００２】
従来、電子写真方式の画像形成装置には、感光体ドラムユニット、現像ユニット、転写ユニット等の各種ユニットが設けられており、これらのユニットを用いて記録媒体に対する画像形成処理が行われている。
【０００３】
例えば、記録媒体に対する画像形成処理に用いられるユニットと、ユニットに高圧電流を供給する高圧基板と、高圧基板とユニットを接続する接続機構と、を備えた画像形成装置が知られている（特許文献１参照）。
【先行技術文献】
【特許文献】
【０００４】
【特許文献１】特開２０１３−２５０３２６号公報
【発明の概要】
【発明が解決しようとする課題】
【０００５】
上記の接続機構の内部においては、一対のバネ端子によって高圧接点が形成される場合がある。このような場合には、高圧接点の圧力を設定する際に両方のバネ端子のバネ圧を考慮しなければならず、高圧接点の圧力を容易且つ正確に設定するのは困難であった。
【０００６】
そこで、本発明は上記の事情を考慮し、一対のバネ端子によって形成される高圧接点の圧力を容易且つ正確に設定することを目的とする。
【課題を解決するための手段】
【０００７】
本発明の画像形成装置は、記録媒体に対する画像形成処理に用いられるユニットと、前記ユニットに高圧電流を供給する高圧基板と、前記高圧基板と前記ユニットを電気的に接続する接続機構と、を備え、前記接続機構は、第１バネ端子を有する第１接続部材と、前記第１接続部材を保持する第１保持部材と、前記第１保持部材が連結される連結部材と、前記第１バネ端子と接触可能な第２バネ端子を有する第２接続部材と、を備え、前記第１バネ端子は、圧縮可能なコイルバネで構成される第１大径部と、密着巻きのコイルバネで構成され、前記第１大径部よりも外径が小さく、前記第２バネ端子と接触可能な第１小径部と、を備え、前記第１保持部材には、前記第１保持部材が前記連結部材に連結された状態で前記第１小径部の前記第１大径部側の端部と当接する第１小径部用当接部が設けられ、前記連結部材には、前記第１保持部材が前記連結部材に連結された状態で前記第１大径部の前記第１小径部側の端部と当接する第１大径部用当接部が設けられていることを特徴とする。
【０００８】
このような構成を採用することで、第１、第２バネ端子によって形成される高圧接点の圧力が第１バネ端子のバネ圧の影響を受けなくなる。そのため、第２バネ端子のバネ圧のみに基づいて上記高圧接点の圧力を設定することが可能となり、上記高圧接点の圧力を容易且つ正確に設定することができる。
【０００９】
前記第１保持部材は、前記第１バネ端子の軸心方向と交差する方向に沿って延びる保持板部と、前記保持板部から前記第１バネ端子の軸心方向に沿って延びるボス部と、を備え、前記第１大径部は、前記ボス部の外周に装着され、前記第１小径部用当接部は、前記ボス部の先端面に設けられていても良い。
【００１０】
このような構成を採用することで、簡易な構成によって第１小径部用当接部を形成することが可能となる。
【００１１】
前記第１保持部材が前記連結部材に連結される前の状態で、前記第１バネ端子の軸心方向における前記ボス部の長さが前記第１バネ端子の軸心方向における前記第１大径部の長さよりも短くても良い。
【００１２】
このような構成を採用することで、第１保持部材が連結部材に連結される前の状態で、ボス部に対して第１小径部を自由に変形させることが可能となる。
【００１３】
前記連結部材は、前記第１大径部の少なくとも一部を挿入可能な第１大径部用挿入部と、前記第１小径部の少なくとも一部を挿入可能に設けられ、前記第１大径部用挿入部よりも内径が小さい第１小径部用挿入部と、を備え、前記第１大径部用当接部は、前記第１大径部用挿入部と前記第１小径部用挿入部の間に設けられていても良い。
【００１４】
このような構成を採用することで、簡易な構成によって第１大径部用当接部を形成することが可能となる。
【００１５】
前記画像形成装置は、前記第２接続部材を保持し、前記連結部材に連結される第２保持部材を更に備え、前記第２保持部材が前記連結部材に連結された状態で、前記第１小径部の一部が前記第２保持部材に挿入され、前記第２バネ端子と接触しても良い。
【００１６】
このような構成を採用することで、連結部材に対する第２保持部材の位置ずれを抑制することができると共に、連結部材と第２保持部材の連結強度を高めることが可能となる。
【００１７】
前記第２バネ端子は、圧縮可能なコイルバネで構成される第２大径部と、密着巻きのコイルバネで構成され、前記第２大径部よりも外径が小さく、前記第１小径部と接触可能な第２小径部と、を備えていても良い。
【００１８】
このような構成を採用することで、第１バネ端子と第２バネ端子を確実に接触させることが可能となる。
【００１９】
前記画像形成装置は、トナー像が一次転写される像担持体を更に備え、前記ユニットは、前記像担持体上のトナー像を記録媒体に二次転写する二次転写ユニットであっても良い。
【００２０】
このような構成を採用することで、高圧基板から二次転写ユニットに高圧電流を確実に供給することが可能となる。
【発明の効果】
【００２１】
本発明によれば、一対のバネ端子によって形成される高圧接点の圧力を容易且つ正確に設定することが可能になる。
【図面の簡単な説明】
【００２２】
【図１】本発明の一実施形態に係るカラープリンターの構成の概略を示す模式図である。
【図２】本発明の一実施形態に係るカラープリンターにおいて、接続機構及びその周辺を示す断面図である。
【図３】本発明の一実施形態に係るカラープリンターにおいて、プリンター本体、第１保持部材及び連結部材を模式的に示す斜視図である。
【図４】本発明の一実施形態に係るカラープリンターにおいて、第１、第２バネ端子及びその周辺を示す断面図である。
【図５】本発明の一実施形態に係るカラープリンターにおいて、第１保持部材を示す斜視図である。
【図６】本発明の一実施形態に係るカラープリンターにおいて、第２接続部材及び第２保持部材を示す斜視図である。
【図７】本発明の一実施形態に係るカラープリンターにおいて、第２バネ端子及びその周辺を示す斜視図である。
【図８】本発明の一実施形態に係るカラープリンターにおいて、第１保持部材が連結部材に連結される前の状態における第１バネ端子及びその周辺を示す断面図である。
【図９】本発明の一実施形態に係るカラープリンターにおいて、第１保持部材が連結部材に連結される前の状態におけるプリンター本体、第１保持部材及び連結部材を模式的に示す斜視図である。
【図１０】本発明の一実施形態に係るカラープリンターにおいて、第１保持部材が連結部材に連結される直前の状態における第１バネ端子及びその周辺を示す断面図である。
【図１１】本発明の一実施形態に係るカラープリンターにおいて、第１保持部材が連結部材に連結された状態における第１バネ端子及びその周辺を示す断面図である。
【図１２】本発明の一実施形態に係るカラープリンターにおいて、第１保持部材が連結部材に連結された状態における第１バネ端子及びその周辺を示す斜視図である。
【発明を実施するための形態】
【００２３】
まず、図１を用いてカラープリンター１（画像形成装置）の全体の構成について説明する。以下、説明の便宜上、図１における紙面手前側をカラープリンター１の前側とする。各図に適宜付される矢印Ｆｒ、Ｒｒ、Ｌ、Ｒ、Ｕ、Ｌｏは、それぞれカラープリンター１の前側、後側、左側、右側、上側、下側を示している。
【００２４】
カラープリンター１は、箱型形状のプリンター本体２を備えており、プリンター本体２の下部には用紙（記録媒体）を収納した給紙カセット３が設けられ、プリンター本体２の上部には排紙トレイ４が設けられている。
【００２５】
プリンター本体２の中央部には、中間転写ユニット５が設けられている。中間転写ユニット５には、複数のローラー間に架設される中間転写ベルト６（像担持体）が設けられ、中間転写ベルト６の下方には、レーザー・スキャニング・ユニット（ＬＳＵ）で構成される露光装置７が配置されている。中間転写ベルト６の下側には、４個の画像形成部８がトナーの色（例えば、マゼンタ、シアン、イエロー、ブラックの４色）ごとに設けられている。各画像形成部８には、感光体ドラム９が回転可能に設けられており、感光体ドラム９の周囲には、帯電器１０と、現像器１１と、一次転写部１２と、クリーニング装置１３と、除電器１４とが、一次転写のプロセス順に配置されている。現像器１１の上方には、各画像形成部８と対応するトナーコンテナ１５が、トナーの色（例えば、マゼンタ、シアン、イエロー、ブラックの４色）ごとに設けられている。
【００２６】
プリンター本体２の右側部には、用紙の搬送経路１６が上下方向に設けられている。搬送経路１６の上流端には給紙部１７が設けられている。搬送経路１６の中流部には中間転写ベルト６の右端側に二次転写ユニット１８（ユニット）が設けられている。二次転写ユニット１８は、二次転写ローラー１９を備えている。搬送経路１６の下流部には定着装置２０が設けられ、搬送経路１６の下流端には排紙口２１が設けられている。
【００２７】
次に、このような構成を備えたカラープリンター１における用紙に対する画像形成処理について説明する。
【００２８】
カラープリンター１に電源が投入されると、各種パラメーターが初期化され、定着装置２０の温度設定等の初期設定が実行される。そして、カラープリンター１に接続されたコンピューター等から画像データが入力され、印刷開始の指示がなされると、以下のようにして用紙に対する画像形成処理が行われる。
【００２９】
まず、帯電器１０によって感光体ドラム９の表面が帯電された後、露光装置７からのレーザー光（矢印Ｐ参照）により感光体ドラム９の表面に静電潜像が形成される。次に、この静電潜像を、トナーコンテナ１５から供給されるトナーによって現像器１１がトナー像に現像する。このトナー像は、一次転写部１２において中間転写ベルト６の表面に一次転写される。以上の動作を各画像形成部８が順次繰り返すことによって、中間転写ベルト６上にフルカラーのトナー像が形成される。なお、感光体ドラム９上に残留したトナー及び電荷は、クリーニング装置１３及び除電器１４によって除去される。
【００３０】
一方、給紙部１７によって給紙カセット３又は手指しトレイ（図示せず）から取り出された用紙は、二次転写ユニット１８へと搬送され、二次転写ユニット１８の二次転写ローラー１９によって中間転写ベルト６上のフルカラーのトナー像が用紙に二次転写される。トナー像を二次転写された用紙は、搬送経路１６を下流側へと搬送されて定着装置２０に進入し、この定着装置２０において用紙にトナー像が定着される。トナー像が定着された用紙は、排紙口２１から排紙トレイ４上に排出される。
【００３１】
次に、プリンター本体２について更に説明する。
【００３２】
図２に示されるように、プリンター本体２の後部には後側フレーム３２が立設されている。後側フレーム３２には上下一対のフック穴３３が設けられ、上側のフック穴３３の下側には貫通穴３４が設けられている。図３に示されるように、後側フレーム３２の右前方には側板３５が立設されている。側板３５は、前後方向に沿って延びている。
【００３３】
次に、プリンター本体２内に設置される高圧基板３６について説明する。
【００３４】
図２に示されるように、高圧基板３６は、プリンター本体２の後側フレーム３２の後方に立設されている。高圧基板３６は、外部電源に接続された電源基板（図示せず）と接続されている。高圧基板３６の下端部には、二次転写トランス３７が設けられている。
【００３５】
次に、高圧基板３６と二次転写ユニット１８を電気的に接続する接続機構３９について説明する。
【００３６】
図２に示されるように、接続機構３９は、第１接続部材４０と、第１接続部材４０を保持する第１保持部材４１と、第１保持部材４１の後方に配置される連結部材４２と、第１接続部材４０の後方に配置される第２接続部材４３と、第２接続部材４３を保持する第２保持部材４４と、を備えている。
【００３７】
第１接続部材４０は、例えば、導電性の金属線によって形成されている。図２に示されるように、第１接続部材４０は、ユニット側バネ端子４６と、ユニット側バネ端子４６よりも後方に配置される第１バネ端子４８と、ユニット側バネ端子４６と第１バネ端子４８を接続する第１導線４７と、を備えている。
【００３８】
ユニット側バネ端子４６は、圧縮可能なコイルバネで構成されている。ユニット側バネ端子４６は、左右方向（図２の紙面奥行き方向）に延びている。ユニット側バネ端子４６は、二次転写ユニット１８に接触している。
【００３９】
図４等に示されるように、第１バネ端子４８は、前後方向に延びる軸心Ａの周りに設けられている。即ち、本実施形態では、第１バネ端子４８の軸心方向は、前後方向である。第１バネ端子４８は、第１大径部５０と、第１大径部５０の後方に第１大径部５０と連続して設けられる第１小径部５１と、を備えている。第１大径部５０は、密着巻きでないコイルバネ（各巻線部が離間しているコイルバネ）で構成されており、前後方向に圧縮可能である。第１小径部５１は、密着巻きのコイルバネ（各巻線部が接触しているコイルバネ）で構成されており、前後方向に圧縮不能である。第１小径部５１は、第１大径部５０よりも外径が小さい。
【００４０】
第１保持部材４１は、例えば、電気的な絶縁性の高い樹脂によって形成されている。図５に示されるように、第１保持部材４１は、左右方向に沿って延びる第１保持部材本体５３と、第１保持部材本体５３の右端部から上下方向に沿って下方に延びる延出部５４と、第１保持部材本体５３の右側部から上下方向に沿って下方に延びる保持板部５５と、保持板部５５の下端部から前後方向に沿って後方に延びるボス部５６と、を備えている。
【００４１】
図４に示されるように、保持板部５５には、第１バネ端子４８の第１大径部５０の前端部５０Ｆｒが当接している。ボス部５６の外径は、第１バネ端子４８の第１大径部５０の外径よりも小さく、第１バネ端子４８の第１小径部５１の外径よりも大きい。ボス部５６の外周には、第１バネ端子４８の第１大径部５０が装着されている。ボス部５６の後端面（先端面）には、第１小径部用当接部５７が設けられている。
【００４２】
連結部材４２は、例えば、電気的な絶縁性の高い樹脂によって形成されている。図２に示されるように、連結部材４２は、連結部材本体５９と、連結部材本体５９から前後方向に沿って後方に延びる円筒状の第１ハウジング６０と、を備えている。
【００４３】
連結部材本体５９は、上下一対のフック６１を備えている。各フック６１は、プリンター本体２の後側フレーム３２に設けられた各フック穴３３に係合している。これにより、プリンター本体２の後側フレーム３２に連結部材４２が固定されている。
【００４４】
第１ハウジング６０は、プリンター本体２の後側フレーム３２に設けられた貫通穴３４を貫通している。図４に示されるように、第１ハウジング６０は、第１大径部用挿入部６２と、第１大径部用挿入部６２よりも後方に設けられる第１小径部用挿入部６３と、第１大径部用挿入部６２と第１小径部用挿入部６３の間に設けられる第１大径部用当接部６４と、を備えている。第１大径部用挿入部６２には、第１バネ端子４８の第１大径部５０及び第１保持部材４１のボス部５６が部分的に挿入されている。第１大径部用挿入部６２の前端部には、開口部６５が形成されている。第１小径部用挿入部６３には、第１バネ端子４８の第１小径部５１が部分的に挿入されている。第１小径部用挿入部６３は、第１大径部用挿入部６２よりも内径が小さい。第１大径部用当接部６４は、後側（第１小径部用挿入部６３側）に向かって徐々に縮径している。
【００４５】
第２接続部材４３は、例えば、導電性の金属線によって形成されている。図２に示されるように、第２接続部材４３は、基板側バネ端子６６と、基板側バネ端子６６よりも前方に配置される第２バネ端子６８と、基板側バネ端子６６と第２バネ端子６８を接続する第２導線６７と、を備えている。
【００４６】
基板側バネ端子６６は、圧縮可能なコイルバネで構成されている。基板側バネ端子６６は、前後方向に沿って延びている。基板側バネ端子６６は、高圧基板３６の二次転写トランス３７に接触している。
【００４７】
図４に示されるように、第２バネ端子６８は、第１接続部材４０の第１バネ端子４８と同様に、前後方向に延びる軸心Ａの周りに設けられている。即ち、第２バネ端子６８は、第１バネ端子４８と同軸上に配置されている。第２バネ端子６８は、第２大径部７０と、第２大径部７０の前方に第２大径部７０と連続して設けられる第２小径部７１と、を備えている。第２大径部７０は、密着巻きでないコイルバネ（各巻線部が離間しているコイルバネ）で構成されており、前後方向に圧縮可能である。第２小径部７１は、密着巻きのコイルバネ（各巻線部が接触しているコイルバネ）で構成されており、前後方向に圧縮不能である。第２小径部７１は、第２大径部７０よりも外径が小さい。第２小径部７１の前端部７１Ｆｒは、第１バネ端子４８の第１小径部５１の後端部５１Ｒｒと接触している。即ち、第２小径部７１の前端部７１Ｆｒは、第１バネ端子４８の第１小径部５１の後端部５１Ｒｒと共に高圧接点Ｂを形成している。
【００４８】
第２保持部材４４は、例えば、電気的な絶縁性の高い樹脂によって形成されている。図６に示されるように、第２保持部材４４は、左右方向に沿って延びる第２保持部材本体８０と、第２保持部材本体８０の上部に設けられる４個の端子保持部８１と、第２保持部材本体８０の右下隅部に設けられる基板側バネ端子用ハウジング８２と、第２保持部材本体８０の右端部に設けられる円筒状の第２ハウジング８３と、を備えている。
【００４９】
第２保持部材本体８０の右端部には支持板部８４が設けられており、この支持板部８４の前側に第２接続部材４３の第２導線６７が配索されている。各端子保持部８１は、３個の端子収容部８５を備えており、各端子収容部８５には端子９０が収容されている。基板側バネ端子用ハウジング８２は、第２接続部材４３の基板側バネ端子６６を収容している。
【００５０】
図４に示されるように、第２ハウジング８３は、第２接続部材４３の第２バネ端子６８を収容している。第２ハウジング８３は、第２大径部用挿入部８６と、第２大径部用挿入部８６よりも前方に設けられる第２小径部用挿入部８７と、第２大径部用挿入部８６と第２小径部用挿入部８７の間に設けられる接続部８８と、を備えている。第２大径部用挿入部８６には、第２バネ端子６８の第２大径部７０が挿入されている。第２小径部用挿入部８７には、第２バネ端子６８の第２小径部７１が挿入されている。第２小径部用挿入部８７は、第２大径部用挿入部８６よりも内径が小さい。接続部８８は、前側（第２小径部用挿入部８７側）に向かって徐々に縮径している。図７に示されるように、第２ハウジング８３の前端部には、上下一対の突片８９が前方に向かって突設されている。
【００５１】
上記のように構成されたカラープリンター１において、電源基板（図示せず）から高圧基板３６に供給された交流電流は、高圧基板３６の二次転写トランス３７によって直流変換及び高圧変換され、高圧電流となる。この高圧電流は、図２に矢印Ｉで示されるように、高圧基板３６の二次転写トランス３７から第１、第２接続部材４０、４３を介して二次転写ユニット１８に供給される。このように、第１、第２接続部材４０、４３は、高圧基板３６から二次転写ユニット１８に至る電流経路中に配置されている。
【００５２】
次に、接続機構３９の組み立てについて説明する。
【００５３】
図８に示されるように、接続機構３９を組み立てる前の状態（第１、第２保持部材４１、４４が連結部材４２に連結される前の状態）では、第１保持部材４１のボス部５６の前後方向の長さが第１バネ端子４８の第１大径部５０の前後方向の長さよりも長さＬだけ短い。これに伴って、第１バネ端子４８の第１小径部５１を第１保持部材４１のボス部５６に対して自由に変形させることが可能となっている。なお、上記の長さＬは、第１大径部５０を圧縮可能な長さである。
【００５４】
接続機構３９を組み立てる際には、図９に示されるように、第１接続部材４０を保持した状態の第１保持部材４１をプリンター本体２の後側フレーム３２の前方に保持する。そして、第１接続部材４０の第１バネ端子４８を連結部材４２の第１ハウジング６０に挿入しながら、第１保持部材４１を連結部材４２に連結させる。その際に、第１保持部材４１を連結部材４２に真正面から連結させようとすると、第１保持部材４１の延出部５４や保持板部５５がプリンター本体２の側板３５と干渉してしまう。そこで、図９に矢印Ｃで示されるように、第１保持部材４１を連結部材４２に前上方から連結させることになる。
【００５５】
その際に、前述のように第１バネ端子４８の第１小径部５１を第１保持部材４１のボス部５６に対して自由に変形させることができるため、図１０に示されるように、第１バネ端子４８の第１小径部５１を大きく下方に変形させながら連結部材４２の第１ハウジング６０に挿入していくことが可能となる。これに伴って、第１バネ端子４８を第１ハウジング６０に容易に挿入することが可能となり、第１保持部材４１を連結部材４２に容易に連結させることが可能となる。
【００５６】
第１保持部材４１を連結部材４２に連結させると、図１１に示されるように、第１バネ端子４８の第１大径部５０が第１ハウジング６０の第１大径部用挿入部６２に部分的に挿入され、第１バネ端子４８の第１小径部５１が第１ハウジング６０の第１小径部用挿入部６３に部分的に挿入される。また、第１大径部５０の後端部５０Ｒｒと第１ハウジング６０の第１大径部用当接部６４が当接して第１大径部５０が圧縮され、第１小径部５１の前端部５１Ｆｒと第１保持部材４１のボス部５６の第１小径部用当接部５７が当接する。これに伴って、第１大径部５０の弾性力が第１小径部５１に働かなくなり、第１小径部５１の前後方向の移動が規制される。
【００５７】
また、上記のように第１保持部材４１を連結部材４２に連結させると、図１２に示されるように、第１バネ端子４８が第１ハウジング６０を貫通し、第１バネ端子４８の第１小径部５１の後端部５１Ｒｒがプリンター本体２の後側フレーム３２及び第１ハウジング６０の後方に突出する。
【００５８】
次に、図４に示されるように、連結部材４２の第１ハウジング６０の後端部に第２保持部材４４の第２ハウジング８３の前端部を当接させ、連結部材４２に第２保持部材４４を連結する。これに伴って、第１バネ端子４８の第１小径部５１の後端部５１Ｒｒが第２ハウジング８３の第２小径部用挿入部８７に挿入され、第２バネ端子６８の第２小径部７１の前端部７１Ｆｒと接触する。これにより、第１小径部５１と第２小径部７１によって形成される高圧接点Ｂが第２ハウジング８３の第２小径部用挿入部８７内に形成される。そのため、連結部材４２に対する第２保持部材４４の位置ずれを抑制することができると共に、連結部材４２と第２保持部材４４の連結強度を高めることが可能となる。
【００５９】
本実施形態では上記のように、第１保持部材４１が連結部材４２に連結された状態で第１バネ端子４８の第１小径部５１の前端部５１Ｆｒ（第１大径部５０側の端部）と当接する第１小径部用当接部５７が第１保持部材４１に設けられると共に、第１保持部材４１が連結部材４２に連結された状態で第１バネ端子４８の第１大径部５０の後端部５０Ｒｒ（第１小径部５１側の端部）と当接する第１大径部用当接部６４が連結部材４２に設けられている。このような構成を採用することで、第１、第２バネ端子４８、６８によって構成される高圧接点Ｂの圧力が第１バネ端子４８のバネ圧の影響を受けなくなる。そのため、第２バネ端子６８のバネ圧のみに基づいて高圧接点Ｂの圧力を設定することが可能となり、高圧接点Ｂの圧力を容易且つ正確に設定することができる。
【００６０】
また、第１小径部用当接部５７は、第１保持部材４１のボス部５６の後端面（先端面）に設けられている。このような構成を採用することで、簡易な構成によって第１小径部用当接部５７を形成することが可能となる。
【００６１】
また、第１大径部用当接部６４は、連結部材４２の第１ハウジング６０の第１大径部用挿入部６２と第１小径部用挿入部６３の間に設けられている。このような構成を採用することで、簡易な構成によって第１大径部用当接部６４を形成することが可能となる。
【００６２】
また、第２バネ端子６８は、圧縮可能なコイルバネで構成される第２大径部７０と、密着巻きのコイルバネで構成され、第２大径部７０よりも外径が小さく、第１小径部５１と接触可能な第２小径部７１と、を備えている。このような構成を採用することで、第１バネ端子４８と第２バネ端子６８を確実に接触させることが可能となる。
【００６３】
また、本実施形態では、中間転写ベルト６上のトナー像を用紙に二次転写する二次転写ユニット１８をユニットとして用いている。このような構成を採用することで、高圧基板３６から二次転写ユニット１８に高圧電流を確実に供給することが可能となる。
【００６４】
本実施形態では、二次転写ローラー１９を含む二次転写ユニット１８をユニットとして用いる場合について説明したが、他の異なる実施形態では、中間転写ベルト６を含む中間転写ユニット、露光器７を含む露光ユニット、感光体ドラム９を含む感光体ドラムユニット、現像器１１を含む現像ユニット、定着装置２０を含む定着ユニットなどをユニットとして用いても良い。つまり、用紙に対する画像形成処理に用いられるあらゆるユニットをユニットとして用いることができる。
【００６５】
本実施形態では、圧縮可能なコイルバネで構成される第２大径部７０と、密着巻きのコイルバネで構成される第２小径部７１と、によって第２バネ端子６８が構成される場合について説明した。一方で、他の異なる実施形態では、圧縮可能なコイルバネのみによって第２バネ端子６８が構成されていても良い。
【００６６】
本実施形態では、カラープリンター１に本発明の構成を適用する場合について説明したが、他の異なる実施形態では、モノクロプリンター、複写機、ファクシミリ、複合機等の他の画像形成装置に本発明の構成を適用することも可能である。
【符号の説明】
【００６７】
１  カラープリンター（画像形成装置）
６  中間転写ベルト（像担持体）
１８  二次転写ユニット（ユニット）
３６  高圧基板
３９  接続機構
４０  第１接続部材
４１  第１保持部材
４２  連結部材
４３  第２接続部材
４４  第２保持部材
４８  第１バネ端子
５０  第１大径部
５０Ｒｒ  第１大径部の後端部（第１小径部側の端部）
５１  第１小径部
５１Ｆｒ  第１小径部の前端部（第１大径部側の端部）
５５  保持板部
５６  ボス部
５７  第１小径部用当接部
６２  第１大径部用挿入部
６３  第１小径部用挿入部
６４  第１大径部用当接部
６８  第２バネ端子
７０  第２大径部
７１  第２小径部
Ａ  第１バネ端子の軸心
【図１】
2016075819.tif 000003
【図２】
2016075819.tif 000004
【図３】
2016075819.tif 000005
【図４】
2016075819.tif 000006
【図５】
2016075819.tif 000007
【図６】
2016075819.tif 000008
【図７】
2016075819.tif 000009
【図８】
2016075819.tif 000010
【図９】
2016075819.tif 000011
【図１０】
2016075819.tif 000012
【図１１】
2016075819.tif 000013
【図１２】
2016075819.tif 000014